(57)【要約】【課題】  カートリッジを交換するための部品点数を削減することのできる繰出容器を提供すること。【解決手段】  外筒２と、当該外筒２内に着脱自在に設けられたカートリッジ３と、カートリッジ３内の固形糊３０を出没させるための操作部材４とを備えて繰出容器１が構成されている。外筒２の外周領域には押圧操作部材９が設けられており、当該押圧操作部材９を内方に押し込むことにより、外筒２の第１の部材８と内筒１４の第２の部材２０との係り合いが解除されてカートリッジ３を外筒２から取り出しできるようになっている。【選択図】          図３
2005271942.tif 000002
【特許請求の範囲】
【請求項１】
棒状をなす被収容材の出し入れ口が上端部に形成された本体ケースと、この本体ケース内に収容されるとともに、内部に前記被収容材が収容されたカートリッジと、前記本体ケースの下端部に回転可能に設けられて前記被収容材を出し入れ口から出没させる操作部材とを備えた繰出装置において、
本体ケースとカートリッジとの間に、当該カートリッジを所定位置に保持する保持手段が設けられているとともに、前記本体ケースの外周部に、前記保持手段の保持状態を解除する解除手段が設けられ、この解除手段を所定操作して保持手段の保持を解除することで、前記カートリッジが本体ケースから取り出し可能に設けられていることを特徴とする繰出容器。
【請求項２】
前記保持手段は、前記本体ケースに設けられた第１の部材と、前記カートリッジに設けられるとともに、前記第１の部材に係り合う第２の部材とにより構成され、前記解除手段は、前記第１及び第２の部材の何れか一方を変位させて前記係り合いを解除する押圧操作部材により構成されていることを特徴とする請求項１記載の繰出装置。
【請求項３】
前記保持手段は、前記本体ケースとカートリッジとの相対回転を規制する状態で当該カートリッジを本体ケース内に保持することを特徴とする請求項１又は２記載の繰出装置。
【請求項４】
前記押圧操作部材は、前記本体ケースの一部にスリットを設けることによって内外に撓み変形可能に設けられていることを特徴とする請求項２又は３記載の繰出装置。
【請求項５】
前記解除手段が保持手段の保持を解除したときに、前記カートリッジが本体ケースから弾発的に飛び出すことを特徴とする請求項１，２，３又は４記載の繰出装置。
【発明の詳細な説明】
【技術分野】
【０００１】
本発明は、例えば、棒状をなす固形糊を被収容材とした繰出容器に係り、更に詳しくは、筒状の本体ケースに収容される固形糊を、簡易な構造によって詰め替えできるようにした繰出容器の構造に関する。
【背景技術】
【０００２】
従来より、外観形状が略筒状となる本体ケース内に、棒状の固形糊を収容し、当該固形糊を本体ケースの上端に形成された出し入れ口で出没可能に設けた繰出容器が知られている（特許文献１）。図１５には、特許文献１に記載された繰出容器と略同様の構造が概略的に示されている。同図において、繰出容器５０は、上端に出し入れ口５１を備えている一方、下端に底壁５２を備えた本体ケースを構成する外筒５４と、この外筒５４内に着脱自在に設けられて固形糊５５を収容するカートリッジ５６と、前記外筒５４の下端側に回転可能に取り付けられた操作部材５７とを備えて構成されている。
【０００３】
前記カートリッジ５６は、上端が開放する内筒６０と、この内筒６０内に収容された固形糊５５の下部を支えるとともに、内筒６０の周方向に沿う回転が規制される状態に保たれた受け部材６３と、当該受け部材６３を内筒６０内で昇降可能に設けて固形糊５５を出し入れ口５１から出没させるための軸部材６５とを備えて構成されている。ここで、内筒６０の下端側外周部分には、外筒５４内の内周部分に係り合う突起６０Ａが設けられており、これにより、カートリッジ５６を外筒５４に収容した後の意図しない抜け止めが防止される。
【０００４】
前記操作部材５７は下端を開放する円筒形状に設けられており、その頂壁６６の中央部には、前記外筒５４の底壁５２を貫通して当該底壁５２に嵌合する起立筒６７が形成されている。この起立筒６７の外周は、前記軸部材６５の下部内周面に噛み合い可能に設けられており、これにより、操作部材５７を回転させることで軸部材６５を回転させ、当該軸部材６５にねじ結合している受け部材６３が上下に昇降可能となっている。
また、前記操作部材５７内には、前記起立筒６７を貫通して上端が軸部材６５に突き当たるピン軸６８を備えた押圧部材７０が収容されている。この押圧部材７０は操作部材５７の内周面部分に形成された突起６９により下方への脱落が防止されている。
【０００５】
以上の構成において、前記繰出容器５０は、固形糊５５を使い切ったときに、前記押圧部材７０を下方から押圧することにより、外筒５４と内筒６０との係り合いを解除し、カートリッジ５６を外筒５４から取り出して、別途のカートリッジを詰め替えできるようになっている。
【０００６】
【特許文献１】ヨーロッパ特許公開第０７５７５２５号公報
【発明の開示】
【発明が解決しようとする課題】
【０００７】
しかしながら、公知の繰出容器５０にあっては、カートリッジ５６を外筒５４から取り出す際に用いられる押圧部材７０が必須部品として要求される構成であり、部品点数が増大する他、繰出容器５０の組み立て工数も増加させてしまう、という不都合がある。
また、カートリッジ５６を取り出す際の操作部位が外筒５４の下端側内部となって目立ち難く、使用者への注意を喚起できないことにより、カートリッジのみを交換することなく外筒をも含めた全体として廃棄してしまう場合も生じ易い。
【０００８】
［発明の目的］
本発明は、このような不都合に着目して案出されたものであり、その目的は、カートリッジを交換するための部品点数を削減することのできる繰出容器を提供することにある。
【０００９】
本発明の他の目的は、カートリッジが本体ケースに対して交換可能であることを形状面から注意を喚起し易くし、構成部品の有効利用を図ることのできる繰出容器を提供することにある。
【課題を解決するための手段】
【００１０】
前記目的を達成するため、本発明は、棒状をなす被収容材の出し入れ口が上端部に形成された本体ケースと、この本体ケース内に収容されるとともに、内部に前記被収容材が収容されたカートリッジと、前記本体ケースの下端部に回転可能に設けられて前記被収容材を出し入れ口から出没させる操作部材とを備えた繰出装置において、
本体ケースとカートリッジとの間に、当該カートリッジを所定位置に保持する保持手段が設けられているとともに、前記本体ケースの外周部に、前記保持手段の保持状態を解除する解除手段が設けられ、この解除手段を所定操作して保持手段の保持を解除することで、前記カートリッジが本体ケースから取り出し可能に設けられる、という構成を採っている。
【００１１】
本発明において、前記保持手段は、前記本体ケースに設けられた第１の部材と、前記カートリッジに設けられるとともに、前記第１の部材に係り合う第２の部材とにより構成され、前記解除手段は、前記第１及び第２の部材の何れか一方を変位させて前記係り合いを解除する押圧操作部材により構成することができる。
【００１２】
また、前記保持手段は、前記本体ケースとカートリッジとの相対回転を規制する状態で当該カートリッジを本体ケース内に保持するように設けることが好ましい。
【００１３】
更に、前記押圧操作部材は、前記本体ケースの一部にスリットを設けることによって内外に撓み変形可能に設けられている。
【００１４】
また、本発明は、前記解除手段が保持手段の保持を解除したときに、前記カートリッジが本体ケースから弾発的に飛び出すように設けることが好ましい。
【発明の効果】
【００１５】
本発明によれば、本体ケースに設けられた解除手段を操作するだけで、本体ケースに対するカートリッジの保持状態を解除して新たなカートリッジと交換することができる。従って、従来のような専用の押圧部材を本体ケースの下端部内方に設ける必要性を一掃することができ、部品点数の削減を図ることができる。しかも、押圧部材を組み込む作業も不要となることで、繰出容器の組み立ても容易なものとなる。
また、解除手段が本体ケースの外周部に設けられているため、カートリッジが交換可能であることが本体ケースの形状を通じて理解されるようになる。
更に、解除手段を構成する押圧操作部材は、本体ケースを部分的に利用した形状となるため、この点からも、構造を簡易化することが可能となる。
また、カートリッジの弾発的な飛び出しを可能とすることで、カートリッジの保持が解除されたことを明確に認識できるようになる。
【００１６】
なお、本明細書において、「上端」とは、出し入れ口が形成されている側について用いられ、「下端」とは、その反対側について用いられる。また、「筒状」とは、円筒以外の角筒をも含む。
【発明を実施するための最良の形態】
【００１７】
以下、本発明が棒状の固形糊を被収容材とした繰出容器に適用された実施形態について、図面を参照しながら説明する。
【００１８】
図１には、本実施形態に係る繰出容器の概略斜視図が示され、図２には、その分解斜視図が示されている。また、図３には、図１の拡大縦断面図が示されている。これらの図において、繰出容器１は、本体ケースとしての外筒２と、この外筒２内に収容されたカートリッジ３（図２参照）と、外筒２の下端部に回転可能に取り付けられた操作部材４と、外筒２の上端部に設けられたキャップ５とを備えて構成されている。
【００１９】
前記外筒２は、図２ないし図７に示されるように、上端を出し入れ口２Ａとして上下両端を開放する略円筒状に設けられている。外筒２において、その上下両端側の軸方向（上下方向）に沿う一定領域は、外径寸法が僅かに小さくされたキャップ５の取付領域６と操作部材４の取付領域７として形成されている。下部の取付領域７の上部外面側には、周方向に延びる突条部７Ａが設けられ、この突条部７Ａにより操作部材４が脱落不能且つ周方向回転可能となる状態で取り付けられる。また、外筒２の上部側において、キャップ５の取付領域６に形成された切欠部６Ａの直下領域に、保持手段を構成する第１の部材８と、解除手段を構成する押圧操作部材９が設けられている。
【００２０】
第１の部材８と押圧操作部材９は、図６に示されるように、外筒２の内側に段部１０を介して外面位置を若干外側にシフトさせた隆起領域１１内に設けられている。押圧操作部材９は、図５に示されるように、隆起領域１１の領域内に、反転略Ｕ字状のスリット１２を形成することによって当該スリット１２の内側領域に形成され、スリット１２の上部領域が第１の部材８として形成されている。第１の部材８は平面形状が略板状をなし、その下端内面側に内周爪８Ａを備えた形状に設けられている。また、押圧操作部材９は、その上部外面側が若干肉厚に設けられているとともに、外面側に滑り防止溝９Ａを備えた形状とされている。この押圧操作部材９は、外筒２の内外に撓み変形可能な弾性を備えており、滑り防止部９Ａに指先を当てて内方に押圧力を付与したときに、内方に撓み変形する一方、その押圧力を解除したときに、初期位置に復帰するようになっている。
【００２１】
カートリッジ３は、前記外筒２内に位置する内筒１４と、この内筒１４の内側に回転可能に支持された軸部材１５と、この軸部材１５回りに位置する受け部材１６とを備えて構成されている。内筒１４は、図２ないし図１０に示されるように、上下両端を開放する略円筒状に設けられた周壁部１７と、この周壁部１７の内側に形成された軸部材保持部１８とからなる。周壁部１７は、下部周壁１７Ａと、これの上部側に連なって当該下部周壁１７Ａより大径となる中間周壁１７Ｂと、この中間周壁１７Ｂの上端に連なり、当該中間周壁１７Ｂよりも大径に設けられて前記外筒２の上端よりも上方に位置する上部周壁１７Ｃとを含む。中間周壁１７Ｂは、周方向に沿う一部の領域において、略平坦な面となる平面部１９を上下方向に沿って備えた形状に設けられ、この平面部１９の上部に、前記第１の部材８と共に保持部材を構成する第２の部材２０が設けられている。この第２の部材２０は、平面部１９との間に隙間を形成する状態で下方に延びる鉛直面部２０Ａと、この鉛直面部２０Ａの下端外面側に形成された外周爪２０Ｂとを含む。この外周爪２０Ｂは、カートリッジ３を外筒２内に挿入したときに、第１の部材８の内周爪８Ａに下方から係り合うようになり、これにより、上方への抜け出しが防止されるようになっている。この際、鉛直面部２０は、前記隆起領域１１を形成する段部１０内に収まることとなり、これにより、カートリッジ３を外筒２内に収容した状態で、カートリッジ３の周方向への回転が規制されることとなる。
【００２２】
前記軸部材保持部１８は、前記下部周壁１７Ａ及び上部周壁１７Ｂの境界領域の内周側に設けられている。この軸部材保持部１８は、内筒１４の内周面に連なる段突きのフランジ面部２２と、このフランジ面部２２の内周に連なるとともに、上部が下部より小径に設けられたテーパ状部２３とにより構成されている。テーパ状部２３は、その上部側に縦割り溝２３Ａを周方向所定間隔毎に備えた形状に設けられている。
【００２３】
前記軸部材１５は、図２、図１１及び図１２に示されるように、ねじ軸部２５と、このねじ軸部２５の下端に鍔部２６を介して設けられた基部軸２７と、当該基部軸２７の下端に連なる下向き略コ字状のスカート状部２８とを含む。このスカート状部２８の内周面には、操作部材４の回転を伝達するためのギヤ２９が周方向に沿って設けられている。
【００２４】
前記受け部材１６は、図２及び図１３に示されるように、略円柱状の外形をなす棒状部材としての固形糊３０の下端を受容してこれを支持する略皿状に形成されている。この受け部材１６は、周方向に沿う一部の領域に平面部３２Ａが形成された略筒状の周壁３２と、この周壁３２の内側に位置するとともに、前記軸部材１５のねじ軸部２５回りにねじ結合されるねじ筒３３と、このねじ筒３３の下端から下方に連なるテーパ筒部３５と、このテーパ筒部３５の下端と前記周壁３２の下端との間に延びる連結底壁３６とにより構成されている。周壁３２の外周側には、爪部３８が形成されており、この爪部３８が固形糊３０の下部外周面に食い込んで当該固形糊３０の脱落が防止される。
【００２５】
前記操作部材４は、図２及び図１４に示されるように、外筒２の下端部外周面側に装着される有底の略円筒状をなす摘み筒４０と、この摘み筒４０の内周側における底部中央部に設けられるとともに、外周側にギヤ４１が形成されたたギヤ筒４２とを備えて構成されている。摘み筒４０の上部内周面には、周方向に沿う凹溝４４が形成され、当該凹溝４４内に外筒２の突条部７Ａが受容されて操作部材４が回転可能な状態で外筒２に取り付けられるようになっている。
【００２６】
次に、本実施形態における繰出容器１の組み立て方法とカートリッジ３の交換方法について説明する。
【００２７】
内筒１４に下端から軸部材１５を挿入して当該軸部材１５を内筒１４に一体化させる。この一体化は、軸部材１５の鍔部２６が内筒１４のテーパ状部２３を突き抜けた位置まで挿入することにより行われ、これにより、軸部材１５の鍔部２６と、スカート状部２８の上面との間に内筒１４のテーパ状部２３が挟まれて軸部材１５の上方及び下方への抜け出しが阻止される。次いで、前記受け部材１６に固形糊３０を収容し、当該受け部材１６を内筒１４内に挿入することで、カートリッジ３の組み立てを完了することができる。
【００２８】
外筒２の下端側に操作部材４を装着した状態で、外筒２の出し入れ口２Ａからカートリッジ３が挿入される。この挿入は、内筒１４の下端が操作部材４の底壁に略突き当たる位置まで行われ、このとき、第２の部材２０が第１の部材８の内面側に位置するとともに、外周爪２０Ｂが内周爪８Ａに下方より係り合うようになり、以後の上方への抜け出しと、周方向への回転を阻止した状態でカートリッジ３が外筒２内に保持され、これにより、繰出容器１の組み立てを完了させることができる。
【００２９】
繰出装置１を利用する場合には、操作部材４を回転操作すればよい。この回転は、軸部材１５の回転を伴い、この軸部材１５にねじ結合している受け部材１６は、内筒１４内で回転規制された状態で軸部材１５の軸方向に沿って内筒１４内を昇降することとなり、これにより、固形糊３０を出し入れ口２Ａから出没させることができる。
【００３０】
固形糊３０を使い切って新たなカートリッジ３に交換するときは、押圧操作部材９を内方に押し込み操作すればよい（図４中二点鎖線位置参照）。この押し込みに伴う押圧操作部材９の撓み変形により、押圧操作部材９の自由端側となる上端側の内面が、第２の部材２０における外周爪２０Ｂを形成する傾斜面を押圧して当該第２の部材２０の下部側を内方に角度変位させることとなり、前記傾斜面の作用によってカートリッジ３を若干上昇させて第１の部材８の内周爪８Ａより上方に乗り越えた位置にカートリッジ３を弾発的に上方に飛び出るように変位させることとなる。これを更に詳述すると、押圧操作部材９の押圧により、外周爪２０Ｂを形成する傾斜面の図３中上端部が内周爪８Ａの内側まで上昇変位すると同時に、外周爪２０Ｂは元の形状に復帰しようとする。この復帰しようとする力は内周爪８Ａと傾斜面との間に生じ、これにより、外周爪２０Ｂが内周爪８Ａの上方に向かって加速度的に潜り抜けようとする弾発力を伴い、カートリッジ３が外筒２から「ポン」という感じで飛び出るようになる。この状態では、カートリッジ３は外筒２内による保持を失うこととなるため、当該カートリッジ３の上部外周側を摘んで図４中上方に引き抜くように操作するだけで、外筒２からカートリッジ３を取り出すことが可能となる。そして、新たなカートリッジ３を再び外筒２内に差し込めばよい。
【００３１】
従って、このような実施形態によれば、押圧操作部材９を押圧するだけで、カートリッジ３を取り出して交換可能となり、当該取り出し用の別途の押圧部材を外筒２の下端内方に設ける必要性を一掃することが可能となる。
【００３２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００３３】
例えば、前記実施形態では、棒状部材として固形糊を対象としたが、本発明はこれに限定されるものではなく、固形リップクリーム等を対象とすることも可能である。
【００３４】
また、前記実施形態では、押圧操作部材９を内方に押し込むことにより第１の部材８と第２の部材２０との係り合いを解除する構成を図示、説明したが、本発明はこれに限定されるものではなく、外筒２とカートリッジ３との間に設けられる保持手段の保持を解除する手段が、外筒の領域内に設けられていればよい。
【図面の簡単な説明】
【００３５】
【図１】本実施形態に係る繰出容器の概略斜視図。
【図２】前記繰出容器の概略分解斜視図。
【図３】図１の拡大縦断面図。
【図４】カートリッジを取り出す状態を示す縦断面図。
【図５】外筒の正面図
【図６】図５のＡ−Ａ線に沿う外筒の断面図。
【図７】（Ａ）は図６のＢ−Ｂ線に沿う断面図、（Ｂ）は図６のＣ−Ｃ線に沿う断面図。
【図８】内筒の正面図。
【図９】図８のＤ−Ｄ線に沿う断面図。
【図１０】図９のＥ−Ｅ線に沿う断面図。
【図１１】軸部材の縦断面図。
【図１２】前記軸部材の底面図。
【図１３】（Ａ）は受け部材の平面図、（Ｂ）は、（Ａ）のＦ−Ｆ線に沿う断面図。
【図１４】（Ａ）は操作部材の平面図、（Ｂ）は（Ａ）のＧ−Ｇ線に沿う断面図。
【図１５】従来の繰出容器を示す概略断面図。
【符号の説明】
【００３６】
１  繰出容器
２  外筒（本体ケース）
３  カートリッジ
４  操作部材
８  第１の部材（保持手段）
９  押圧操作部材（解除手段）
１０  段部
１２  スリット
１４  内筒
２０  第２の部材（保持手段）
２５  固形糊（被収容材）
【図１】
2005271942.tif 000003
【図２】
2005271942.tif 000004
【図３】
2005271942.tif 000005
【図４】
2005271942.tif 000006
【図５】
2005271942.tif 000007
【図６】
2005271942.tif 000008
【図７】
2005271942.tif 000009
【図８】
2005271942.tif 000010
【図９】
2005271942.tif 000011
【図１０】
2005271942.tif 000012
【図１１】
2005271942.tif 000013
【図１２】
2005271942.tif 000014
【図１３】
2005271942.tif 000015
【図１４】
2005271942.tif 000016
【図１５】
2005271942.tif 000017